(57)【要約】【課題】パネル自体が振動しやすいように支持できて吸音効果が高い壁面の吸音構造を提供する。【解決手段】壁面１に対して所定の間隔を隔ててパネル２を壁面１と平行に配設する。上固定金具４をパネル２の上端面に沿わせて上固定金具４を壁面１に固定すると共に下固定金具５をパネル２の下端面に沿わせて下固定金具５を壁面１に固定する。パネル２の上端面に設けた上嵌合穴６に上固定金具４の上嵌合片４ａを遊嵌すると共にパネル２の下端面に設けた下嵌合穴７に下固定金具５の下嵌合片５ａを遊嵌する。上嵌合穴６と上嵌合片４ａとの間及び下嵌合穴７と下嵌合片５ａとの間にパネル２がパネル２の厚さ方向に動き得るようにするための隙間Ｓを形成する。【選択図】        図１
2004176374.tif 000002
【特許請求の範囲】
【請求項１】
壁面に対して所定の間隔を隔てて壁面と平行にパネルを配設し、上固定金具をパネルの上端面に沿わせて上固定金具を壁面に固定すると共に下固定金具をパネルの下端面に沿わせて下固定金具を壁面に固定し、パネルの上端面に設けた上嵌合穴に上固定金具の上嵌合片を遊嵌すると共にパネルの下端面に設けた下嵌合穴に下固定金具の下嵌合片を遊嵌し、上嵌合穴と上嵌合片との間及び下嵌合穴と下嵌合片との間にパネルがパネルの厚さ方向に動き得るようにするための隙間を形成したことを特徴とする壁面の吸音構造。
【請求項２】
振れ止め金具をパネルの左右の側面に夫々沿わせて振れ止め金具を壁面に固定し、パネルの左右の側面に設けた側部嵌合穴に振れ止め金具の側部嵌合片を遊嵌し、側部嵌合穴と側部嵌合片との間にパネルがパネル厚さ方向に動き得るようにするための隙間を形成したことを特徴とする請求項１記載の壁面の吸音構造。
【請求項３】
上嵌合穴や下嵌合穴や側部嵌合穴の内面に上固定金具や下固定金具や振れ止め金具が接触しても音が出ないように緩衝する緩衝部材を装着したことを特徴とする請求項１または請求項２記載の壁面の吸音構造。
【請求項４】
パネル自体に吸音材を設けてパネル自体に吸音機能を持たせたことを特徴とする請求項１乃至請求項３のいずれかに記載の壁面の吸音構造。
【発明の詳細な説明】
【０００１】
【発明の属する技術分野】
本発明は、壁面の吸音構造に関し、詳しくは壁面に対してパネルを所定の間隔を隔てて取り付けることによりパネル自体の振動にて吸音効果を発揮させるようにした壁面の吸音構造に関するものである。
【０００２】
【従来の技術】
従来、この種の壁面の防音構造は図１０に示すように壁面１に対して所定の間隔を隔てて壁面１と平行にパネル２を配置し、壁面１に固定した支持部ａにパネル２を固定していた。そして背後に空気層３を持ったパネル２に音が当るとパネル２が振動し、このときパネル２の内部摩擦や支持部ａでの損失に対して振動を持続させるためにパネル２に当った音のエネルギーの一部は消費され、吸音効果を示すようになっている（例えば、非特許文献１参照）。
【０００３】
【非特許文献１】
社団法人日本音響材料協会編「騒音・振動対策ハンドブック」技報堂出版、１９８２年５月２０日発行、Ｐ２５８〜２５９
【０００４】
【発明が解決しようとする課題】
ところが、上記従来例では、パネル１を支持部ａにて剛的に支持しているため、支持部ａにより支持にてパネル１の振動が規制されてパネル自体が振動しにくく、吸音効果が低いという問題があった。
【０００５】
本発明は叙述の点に鑑みてなされたものであって、パネル自体が振動しやすいように支持できて吸音効果が高い壁面の吸音構造を提供することを課題とする。
【０００６】
【課題を解決するための手段】
上記課題を解決するための本発明の壁面の吸音構造は、壁面１に対して所定の間隔を隔ててパネル２を壁面１と平行に配設し、上固定金具４をパネル２の上端面に沿わせて上固定金具４を壁面１に固定すると共に下固定金具５をパネル２の下端面に沿わせて下固定金具５を壁面１に固定し、パネル２の上端面に設けた上嵌合穴６に上固定金具４の上嵌合片４ａを遊嵌すると共にパネル２の下端面に設けた下嵌合穴７に下固定金具５の下嵌合片５ａを遊嵌し、上嵌合穴６と上嵌合片４ａとの間及び下嵌合穴７と下嵌合片５ａとの間にパネル２がパネル２の厚さ方向に動き得るようにするための隙間Ｓを形成したことを特徴とする。上記のようにパネル２を取り付けることで壁面１に対して間隔を隔てて配置したパネル２を上固定金具４と下固定金具５とで支持して取り付けることができるのは勿論、パネル２の上下を上固定金具４と下固定金具５とで支持しても、上嵌合片４ａと上嵌合穴６、下嵌合片５ａと下嵌合穴７とが隙間Ｓを介して遊嵌しているためにパネル２がパネル２の厚さ方向に動き得るようにパネル２が取り付けられ、パネル２自体が振動しやすいように支持できて吸音効果が高くなる。
【０００７】
また振れ止め金具８をパネル２の左右の側面に夫々沿わせて振れ止め金具８を壁面１に固定し、パネル２の左右の側面に設けた側部嵌合穴９に振れ止め金具８の側部嵌合片８ａを遊嵌し、側部嵌合穴９と側部嵌合片８ａとの間にパネル２がパネル２の厚さ方向に動き得るようにするための隙間Ｓを形成したことを特徴とすることも好ましい。上記のように上固定金具４と下固定金具５との固定に加えて振れ止め金具８にてパネル２が左右に動かないように固定できてパネル２を安定よく取り付けることができる。このように振れ止め金具８にてパネル２を取り付けても側部嵌合片８ａと側部嵌合穴９とが隙間Ｓを介して遊嵌しているためにパネル２がパネル２の厚さ方向に動き得るようにパネル２が取り付けられ、パネル２自体を振動しやすいように支持できて吸音効果が高くなる。
【０００８】
また上嵌合穴６や下嵌合穴７や側部嵌合穴９の内面に上固定金具４や下固定金具５や振れ止め金具８が接触しても音が出ないように緩衝する緩衝部材１０を装着したことを特徴とすることも好ましい。パネル２が大きく振動して上嵌合穴６や下嵌合穴７や側部嵌合穴９の内面に上固定金具４や下固定金具５や振れ止め金具８が当るようなことが生じても緩衝部材１０に当ることで緩衝されて音を発生したりすることがない。
【０００９】
またパネル２自体に吸音材１１を設けてパネル２自体に吸音機能を持たせたことを特徴とすることも好ましい。この場合、パネル２自体の吸音材１１にも吸音することで音が吸収され吸音効果が一層高くなる。
【００１０】
【発明の実施の形態】
本発明は壁面１に対して空気層３となる間隔を隔てて壁面１と平行にパネル２を取り付けることで吸音構造にするものであるが、本例のパネル２はパネル２自体にも吸音機能を有するものであり、図５に示すように化粧板１２、中板１３、枠体１４、吸音材１１等にて形成され、一体に組み立てられている。
【００１１】
化粧板１２は長方形の板であり、表面に少なくとも化粧を施してある。中板１３も長方形の板であり、中板１３の裏面側には中板１３の長手方向と直交する幅方向に長い裏溝１６を幅方向に亙るように穿設してある。かかる裏溝１６は中板１３の長手方向の両端以外の部分に長手方向に等間隔に間隔を隔てて設けてある。中板１３の長手方向の長さは化粧板１２の長手方向の長さと同じであるが、中板１３の幅は化粧板１２の幅より小さくしてある。
【００１２】
中板１３の表面側には化粧板１２が貼り付けて装着されるのであるが、このとき、例えば、化粧板１２の表面を下に向けた状態で化粧板１２の裏面側の上に重ねるように中板１３が装着される。中板補助材１７は中板１３の長さと同じであり、中板補助材１７の厚さは中板１３の厚さと同じである。この中板補助材１７は中板１３の両側に配置し、化粧板１２に貼り付けて装着してある。このように中板１３と化粧板１２を貼り合わせた状態で図６に示すように中板１３が下になるように向け、丸鋸１８のような工具にて化粧板１２の表面から模様溝１９を穿設する。この模様溝１９は裏溝１６と直交するように交差する方向に穿設し、化粧板１２の長手方向に亙って穿設する。模様溝１９を穿設するとき、裏溝１６に至る深さまで穿設し、模様溝１９と裏溝１６とを連通させる。
【００１３】
枠体１４は一対の横枠材１４ａと一対の縦枠材１４ｂとを矩形状に枠組みして形成されており、さらに縦枠材１４ｂ間に仕切り枠材１４ｃを架設してある。この枠材１４は中板１３や中板補助材１７の裏面側に配置し、これらに貼り合わせて装着してある。吸音材１１は矩形板状に形成されており、この吸音材１１を枠体１４内に装填して一体化してある。かかる吸音材１１は、本例の場合、インシュレーションボードと称される軟質繊維板（密度０．３５ｇ／ｃｍ３未満）にて形成されている。このような軟質繊維板にて吸音材１１を形成すると、吸音性以外に吸湿性もある。上記のように化粧板１２、中板１３、枠体１４、吸音材１１等を一体に組み立てることにより吸音性のあるパネル２が図７に示すように形成される。
【００１４】
上記のようにパネル２が形成され、このパネル２が上固定金具４、下固定金具５、振れ止め金具８にて図１乃至図３のように取り付けられる。このパネル２は壁面１に対して所定の間隔を隔てて取り付けられるものであり、壁面１とパネル２との間に空気層３が形成される。かかる空気層３の間隔は１０〜１５ｍｍ程度である。
【００１５】
下固定金具５は横片５ｂと縦片５ｃとで断面Ｌ字状に形成されており、縦片５ｃには丸穴状の取り付け穴５ｄが穿孔されており、横片５ｂの先端には上方に立ち上がるように下嵌合片５ａを突設してある。かかる下固定金具５は縦片５ｃを壁面１に沿わせ、取り付け穴５ｄからビスのような固着具２０を打入することで壁面１に取り付けてある。パネル２の下端には上記下嵌合片５ａの長さより長く下嵌合片５ａの厚さより幅の広い下嵌合穴７を穿孔してあり、この下嵌合穴７にはゴム等の弾性材で形成せる断面略コ字状の緩衝部材１０を嵌合してある。そして下嵌合穴７に下嵌合片５ａを遊嵌してあり、下嵌合穴７と下嵌合片５ａとの間の隙間Ｓにてパネル２がパネル２の厚さ方向に動き得るようになっている。
【００１６】
上固定金具４は横片４ｂと縦片４ｃとで断面Ｌ字状に形成されており、縦片４ｃには上下に長い長穴よりなる取り付け穴４ｄが穿孔されており、横片４ｂの先端には下方に垂下するように上嵌合片４ａを突設してある。かかる上固定金具４は横片４ｂを上に位置させて縦片４ｃを壁面１に沿わせ、取り付け穴４ｄからビスのような固着具２０を打入することで壁面１に取り付けてある。パネル２の上端には上記上嵌合片４ａの長さより長く上嵌合片４ａ厚さより幅の広い上嵌合穴６を穿孔してあり、この上嵌合穴６にはゴム等の弾性材で形成せる断面コ字状の緩衝部材１０を嵌合してある。そして上嵌合穴６に上嵌合片４ａを遊嵌してあり、上嵌合穴６と上嵌合片４ａの間の隙間Ｓにてパネル２がパネル２の厚さ方向に動き得るようになっている。上嵌合片４ａを上嵌合穴６に遊嵌するとき図４（ａ）の状態から長孔の取り付け穴４ｄを固着具２０に対してスライドさせて図４（ｂ）の状態にして上嵌合片４ａを上嵌合穴６に入れる。
【００１７】
振れ止め金具８は側片８ｂと底片８ｃとで断面Ｌ字状に形成されており、底片８ｃには左右に長い長穴よりなる取り付け穴８ｄを穿孔してあり、側片８ｂの先端には側部嵌合片８ａを突設してある。かかる振れ止め金具８は左右の両側で側片８ｂが側方に位置するように底片８ｃが壁面１に沿わせられ、取り付け穴８ｄからビスのような固着具２０を打入することで壁面１の左右に取り付けてある。パネル２の左右の両側の側面には側部嵌合片８ａの長さより長く側部嵌合片８ａの厚さより幅の広い側部嵌合穴９を穿孔してあり、この側部嵌合穴６にはゴム等の弾性材で形成せる角筒状の緩衝部材１０を嵌合してある。そして側部嵌合穴９に側部嵌合片８ａを遊嵌してあり、側部嵌合穴９と側部嵌合片８ａとの間の隙間Ｓにてパネル２がパネル２の厚さ方向に動き得るようになっている。側部嵌合片８ａを側部嵌合穴９に遊嵌するとき上記上嵌合片４ａと同様に長穴状の取り付け穴８ｄをスライドさせて側部嵌合片８ａを側部嵌合穴９に入れる。
【００１８】
上記のようにパネル２が壁面１に空気層３を介して取り付けられ、室内の音はパネル２が振動することで吸音される。このとき、パネル２が上固定金具４と下固定金具５と左右の振れ止め金具８にて安定よく取り付けられていても、上嵌合片４ａと上嵌合穴６との間の隙間Ｓ、下嵌合片５ａと下嵌合穴７との間の隙間Ｓ、側部嵌合片８ａと側部嵌合穴９との間の隙間Ｓにてパネル２がパネル２の厚さ方向に動き得るためパネル２が振動しやすく、パネル２が円滑に振動することで音を効果的に吸収して吸音できる。またパネル２が振動するとき上嵌合穴６や下嵌合穴７や側部嵌合穴９の内面に上固定金具４の上嵌合片４ａや下固定金具５の下嵌合片５ａや振れ止め金具８の側部嵌合片８ａが当るようなことが起こっても緩衝部材１０で緩衝できて音が発生したりすることが起こらない。
【００１９】
また上記パネル２の表面は化粧板１２で形成され、この化粧板１２に模様溝１９を穿設してあるために室内の壁面１に沿って取り付けても外観よくできる。また上記のパネル２は内部に吸音材１１を装填してあって、パネル２自体に吸音機能を持たせてあるため、音は模様溝１９から裏溝１６を介して吸音材１１に吸音され、パネル２の吸音材１１にも吸音できるために一層吸音効果を向上できる。
【００２０】
なお、上記例では内部に吸音材１１を装填してパネル２自体に吸音性能を持たせたものについて述べたが、パネル２自体に吸音機能のない単なるボードでもよく、また単なるインシュレーションボードのような吸音性のある板でもよい。
【００２１】
また上記のように内部に吸音材１１を装填し、表面に化粧板１２を貼ると共に化粧板１２に模様溝１９を形成したパネル２はそれ自体に吸音性があるため壁面１の表面に沿って並べて施工することでパネル２自体の吸音性だけで吸音するよな施工も行われる場合がある。この場合、図８に示すようにパネル２の一側に雌実２２を設けると共にパネル２の他側に雌実２２を嵌合し得る雄実２３を設けておき、複数枚のパネル２を左右に並べて貼ったとき隣り合うパネル２は雌実２２と雄実２３とを嵌合することで接続するようになっている。
【００２２】
このように雌実２２を雄実２３とを設けたパネル２を単体で用いて上記のように壁面１に対して間隔を隔ててパネル２を上固定金具４や下固定金具５や振れ止め金具８で取り付ける場合、図９に示すようにパネル２の周囲に沿って断面略Ｌ字状の額縁２４を装着する。このとき額縁２４の押さえ縁２５は雄実２２や雌実２３に装着した雇い実２６や、上下端の切り欠き部２７に被せる。このようにパネル２を用いて壁面１に対して離間させて上固定金具４や下固定金具５や振れ止め金具８にて取り付ける場合は、上記のように取り付けた額縁２４に上嵌合穴６や下嵌合穴７や側部嵌合穴９を設ける。
【００２３】
【発明の効果】
本発明の請求項１の発明は、壁面に対して所定の間隔を隔ててパネルを壁面と平行に配設し、上固定金具をパネルの上端面に沿わせて上固定金具を壁面に固定すると共に下固定金具をパネルの下端面に沿わせて下固定金具を壁面に固定しているので、壁面に対して間隔を隔てて配置したパネルを上固定金具と下固定金具とで支持して取り付けることができるのは勿論、パネルの上端面に設けた上嵌合穴に上固定金具の上嵌合片を遊嵌すると共にパネルの下端面に設けた下嵌合穴に下
固定金具の下嵌合片を遊嵌し、上嵌合穴と上嵌合片との間及び下嵌合穴と下嵌合片との間にパネルがパネルの厚さ方向に動き得るようにするための隙間を形成したので、パネルの上下を上固定金具と下固定金具とで支持しても、パネルがパネルの厚さ方向に動き得るようにパネルが取り付けられ、パネル自体が振動しやすいように支持できて吸音効果が高くなるものである。
【００２４】
また本発明の請求項２の発明は、請求項１おいて、振れ止め金具をパネルの左右の側面に夫々沿わせて振れ止め金具を壁面に固定し、パネルの左右の側面に設けた側部嵌合穴に振れ止め金具の側部嵌合片を遊嵌し、側部嵌合穴と側部嵌合片との間にパネルがパネルの厚さ方向に動き得るようにするための隙間を形成したので、上固定金具と下固定金具との固定に加えて振れ止め金具にてパネルが左右に動かないように固定できてパネルを安定よく取り付けることができるものであり、しかもこのように振れ止め金具にてパネルを取り付けても側部嵌合片と側部嵌合穴とが隙間を介して遊嵌しているためにパネルがパネルの厚さ方向に動き得るようにパネルが取り付けられ、パネル自体を振動しやすいように支持できて吸音効果が高くなるものである。
【００２５】
また本発明の請求項３の発明は、請求項１または請求項２において、上嵌合穴や下嵌合穴や側部嵌合穴の内面に上固定金具や下固定金具や振れ止め金具が接触しても音が出ないように緩衝する緩衝部材を装着したので、パネルが大きく振動して上嵌合穴や下嵌合穴や側部嵌合穴の内面に上固定金具や下固定金具や振れ止め金具が当るようなことが生じても緩衝部材に当ることで緩衝されて音を発生したりすることがないものである。
【００２６】
また本発明の請求項４の発明は、請求項１乃至請求項３のいずれかにおいて、パネル自体に吸音材を設けてパネル自体に吸音機能を持たせたので、パネル自体の吸音材にも吸音することで音が吸収され吸音効果が一層高くなるものである。
【図面の簡単な説明】
【図１】本発明の実施の形態の一例を示す一部切欠側面図である。
【図２】同上の一部切欠平面図である。
【図３】同上の分解斜視図である。
【図４】（ａ）（ｂ）は上固定金具の上嵌合片を上嵌合穴に入れる状態を説明する断面図である。
【図５】同上のパネルの分解斜視図である。
【図６】同上のパネルの模様溝を加工する状態を示す斜視図である。
【図７】同上のパネルを示し、（ａ）は一部切欠正面図、（ｂ）は底面から見た断面図である。
【図８】同上のパネルに雌実と雄実を設けた状態を示し、（ａ）は一部切欠正面図、（ｂ）は底面から見た断面図である。
【図９】同上のパネルに額縁を取り付けた状態で（ａ）は平面から見た断面図、（ｂ）は側面から見た断面図である
【図１０】従来例を示す概略断面図である。
【符号の説明】
１  壁面
２  パネル
４  上固定金具
４ａ  上嵌合片
５  下固定金具
５ａ  下嵌合片
６  上嵌合穴
７  下嵌合穴
８  振れ止め金具
８ａ  側部嵌合片
９  側部嵌合穴
１０  緩衝部材
Ｓ  隙間
【図１】
2004176374.tif 000003
【図２】
2004176374.tif 000004
【図３】
2004176374.tif 000005
【図４】
2004176374.tif 000006
【図５】
2004176374.tif 000007
【図６】
2004176374.tif 000008
【図７】
2004176374.tif 000009
【図８】
2004176374.tif 000010
【図９】
2004176374.tif 000011
【図１０】
2004176374.tif 000012